(57)【特許請求の範囲】
【請求項１】
上枠および左右の縦枠を有して外壁開口部に固定される枠体と、この枠体に開閉自在に支持される面材とを備えた建具であって、
前記左右の縦枠のうち少なくとも１つの枠材は、外壁躯体に固定される枠本体部と、この枠本体部の屋外側に設けられる屋外見付け部とを有して構成され、
前記屋外見付け部は、見込み方向に延びる見込み片部と、この見込み片部の屋内側端部から見付け方向外側に延びる見付け片部と、を有して断面略Ｌ字形に形成され、
前記見込み片部が前記外壁躯体よりも屋外側に位置する外装材の見付け方向内側端縁に対向するとともに、当該見込み片部の屋外側端縁が前記外装材の屋外側面と略同一見込み位置まで延びて設けられ、前記見付け片部が前記外装材の屋内側面に対向して設けられ、
前記枠本体部は、前記面材の端面に対向して見込み方向に延びる本体見込み面部を有して形成され、この本体見込み面部は、前記見込み片部とフラットに設けられるかまたは当該見込み片部よりも見付け方向外側に位置して設けられている建具。
【請求項２】
上枠および左右の縦枠を有して外壁開口部に固定される枠体と、この枠体に開閉自在に支持される面材とを備えた建具であって、
前記上枠および左右の縦枠のうち少なくとも１つの枠材は、外壁躯体に固定される枠本体部と、この枠本体部の屋外側に設けられる屋外見付け部とを有して構成され、
前記屋外見付け部は、見込み方向に延びる見込み片部と、この見込み片部の屋内側端部から見付け方向外側に延びる見付け片部と、を有して断面略Ｌ字形に形成され、
前記見込み片部は、前記外壁躯体よりも屋外側に位置する外装材の見付け方向内側端縁に対向するとともに、当該見込み片部の屋外側端縁が前記外装材の屋外側面と略同一見込み位置まで延びて設けられ、前記見付け片部は、前記外装材の屋内側面に間隔を隔てて対向して設けられ、
前記枠本体部は、前記面材の端面に対向して見込み方向に延びる本体見込み面部を有して形成され、この本体見込み面部は、前記見込み片部とフラットに設けられるかまたは当該見込み片部よりも見付け方向外側に位置して設けられ、
前記屋外見付け部は、前記枠本体部と別体で形成され、当該枠本体部の屋外側端部に固着具で固定されるかまたは互いの係合によって取り付けられている建具。
【請求項３】
前記屋外見付け部は、前記枠本体部と別体で形成され、当該枠本体部の屋外側端部に固着具で固定されるかまたは互いの係合によって取り付けられている請求項１に記載の建具。
【請求項４】
前記屋外見付け部の見込み片部は、切断可能に構成されるか、または当該見込み片部の屋外側先端部に基端部よりも厚さ寸法が小さい薄肉部が形成されている請求項１から請求項３のいずれかに記載の建具。
【請求項５】
前記上枠および左右の縦枠のうち少なくとも１つの枠材は、外壁躯体に固定される枠本体部と、この枠本体部の屋外側に設けられる屋外見付け部と、前記枠本体部の屋内側に設けられる屋内見付け部とを有して構成され、
前記屋内見付け部には、前記枠本体部よりも見込み方向屋内側に延びるとともに、前記外壁躯体よりも屋内側に位置する内装材の見付け方向内側端縁を覆うカバー部が形成されている請求項１から請求項４のいずれかに記載の建具。
【発明の詳細な説明】
【技術分野】
【０００１】
本発明は、建具に関し、外壁開口部に固定される枠体と、この枠体に開閉自在に支持される面材とを備えた建具に関する。
【背景技術】
【０００２】
従来、玄関ドア等の外壁開口部に設けられる建具において、外壁躯体に対して屋外側から枠体を固定した半外付けタイプのものが一般的に利用されている（例えば、特許文献１参照）。
特許文献１に記載の玄関ドアは、枠体を構成する上枠や左右の縦枠における見込み方向屋内寄りの位置に見付け方向外側に突出する固定片が設けられ、これらの固定片を躯体に固定することで外壁開口部に取り付けられるようになっている。また、外壁の屋外側面を構成するサイディング等の外装材は、上枠や縦枠における見付け方向外側の見込み面にシール材を介して接続されている。
【先行技術文献】
【特許文献】
【０００３】
【特許文献１】特開２００３−９７１５１号公報
【発明の概要】
【発明が解決しようとする課題】
【０００４】
しかしながら、特許文献１に記載されたような従来の半外付けタイプの建具では、枠体が外装材よりも屋外側に突出して設けられることとなるため、外観上、枠体が目立ってしまうことから、意匠デザインの制約を受けて設計自由度が高められないという問題がある。また、枠体が屋外側に突出することから、外壁面の形状（例えば、入り隅形状）や外装材の種別やサイズ等によっては枠体と干渉する可能性があり、建具を取り付けることができなかったり、建具の設置位置が制約を受けたりなどの不都合を生じることもある。
【０００５】
本発明の目的は、外壁に対する設置自由度や意匠デザインの設計自由度を向上させることができる建具を提供することにある。
【課題を解決するための手段】
【０００６】
本発明の建具は、上枠および左右の縦枠を有して外壁開口部に固定される枠体と、この枠体に開閉自在に支持される面材とを備えた建具であって、前記左右の縦枠のうち少なくとも１つの枠材は、外壁躯体に固定される枠本体部と、この枠本体部の屋外側に設けられる屋外見付け部とを有して構成され、前記屋外見付け部は、見込み方向に延びる見込み片部と、この見込み片部の屋内側端部から見付け方向外側に延びる見付け片部と、を有して断面略Ｌ字形に形成され、前記見込み片部が前記外壁躯体よりも屋外側に位置する外装材の見付け方向内側端縁に対向するとともに、当該見込み片部の屋外側端縁が前記外装材の屋外側面と略同一見込み位置まで延びて設けられ、前記見付け片部が前記外装材の屋内側面に対向して設けられ、前記枠本体部は、前記面材の端面に対向して見込み方向に延びる本体見込み面部を有して形成され、この本体見込み面部は、前記見込み片部とフラットに設けられるかまたは当該見込み片部よりも見付け方向外側に位置して設けられていることを特徴とする。
【０００７】
このような本発明によれば、枠本体部の屋外側に設けられる屋外見付け部に見込み片部を形成し、この見込み片部を外装材の屋外側面と略同一見込み位置に設けることで、枠材が外装材の屋外側面から大きく突出することがなく、枠材が外壁開口部の内側に内蔵される内付けタイプの枠体を構成することができる。従って、外壁面の形状や外装材の種別やサイズ等が様々であっても、外壁や外装材と枠体との干渉を回避することができ、外壁に対する設置位置の自由度を高めることができる。さらに、枠材が外装材の屋外側面から大きく突出しないことから、枠材が目立たないようにでき、意匠デザイン上の制約を少なくして設計自由度を高めることができる。そして、当該建具を屋外側正面の外観としては、外装材の開口内部側に沿って見込み片部の先端面が見えるだけなので、枠材がさらに目立たず意匠性を向上させることができる。また、見込み片部を外装材の見付け方向内側端縁に対向させるとともに、見付け片部を外装材の屋内側面に対向させて設けることで、外装材と枠材の屋外見付け部とを所定の納まりで配置することができ、外装材の端縁と見付け片部との間にシールを施す場合にも良好な施工性を確保することができる。
また、このような本発明によれば、左右の縦枠のうち少なくとも１つの枠材において、屋外見付け部の見込み片部よりも見付け方向内側（面材側）に本体見込み面部が突出しないようにしたことで、建具を屋外側から見た場合に枠本体部が目立たないようにでき、建具の外観意匠性をさらに向上させることができる。
さらに、本発明の建具では、前記屋外見付け部は、前記枠本体部と別体で形成され、当該枠本体部の屋外側端部に固着具で固定されるかまたは互いの係合によって取り付けられていることが好ましい。
このような構成によれば、外装材の種別や厚さ寸法に応じた屋外見付け部を準備しておき、外装材に応じて適宜選択した屋外見付け部を枠本体部に取り付けることで、屋外側の良好な納まりを確保しつつ枠本体部を共通化することができる。
【０００８】
また、本発明の建具は、上枠および左右の縦枠を有して外壁開口部に固定される枠体と、この枠体に開閉自在に支持される面材とを備えた建具であって、前記上枠および左右の縦枠のうち少なくとも１つの枠材は、外壁躯体に固定される枠本体部と、この枠本体部の屋外側に設けられる屋外見付け部とを有して構成され、前記屋外見付け部は、見込み方向に延びる見込み片部と、この見込み片部の屋内側端部から見付け方向外側に延びる見付け片部と、を有して断面略Ｌ字形に形成され、前記見込み片部は、前記外壁躯体よりも屋外側に位置する外装材の見付け方向内側端縁に対向するとともに、当該見込み片部の屋外側端縁が前記外装材の屋外側面と略同一見込み位置まで延びて設けられ、前記見付け片部は、前記外装材の屋内側面に間隔を隔てて対向して設けられ、前記枠本体部は、前記面材の端面に対向して見込み方向に延びる本体見込み面部を有して形成され、この本体見込み面部は、前記見込み片部とフラットに設けられるかまたは当該見込み片部よりも見付け方向外側に位置して設けられ、前記屋外見付け部は、前記枠本体部と別体で形成され、当該枠本体部の屋外側端部に固着具で固定されるかまたは互いの係合によって取り付けられていることが好ましい。
このような本発明によれば、枠本体部の屋外側に設けられる屋外見付け部に見込み片部を形成し、この見込み片部を外装材の屋外側面と略同一見込み位置に設けることで、枠材が外装材の屋外側面から大きく突出することがなく、枠材が外壁開口部の内側に内蔵される内付けタイプの枠体を構成することができる。従って、外壁面の形状や外装材の種別やサイズ等が様々であっても、外壁や外装材と枠体との干渉を回避することができ、外壁に対する設置位置の自由度を高めることができる。さらに、枠材が外装材の屋外側面から大きく突出しないことから、枠材が目立たないようにでき、意匠デザイン上の制約を少なくして設計自由度を高めることができる。そして、当該建具を屋外側正面の外観としては、外装材の開口内部側に沿って見込み片部の先端面が見えるだけなので、枠材がさらに目立たず意匠性を向上させることができる。また、見込み片部を外装材の見付け方向内側端縁に対向させるとともに、見付け片部を外装材の屋内側面に対向させて設けることで、外装材と枠材の屋外見付け部とを所定の納まりで配置することができ、外装材の端縁と見付け片部との間にシールを施す場合にも良好な施工性を確保することができる。
また、このような本発明によれば、上枠および左右の縦枠のうち少なくとも１つの枠材において、屋外見付け部の見込み片部よりも見付け方向内側（面材側）に本体見込み面部が突出しないようにしたことで、建具を屋外側から見た場合に枠本体部が目立たないようにでき、建具の外観意匠性をさらに向上させることができる。
さらに、このような本発明によれば、外装材の種別や厚さ寸法に応じた屋外見付け部を準備しておき、外装材に応じて適宜選択した屋外見付け部を枠本体部に取り付けることで、屋外側の良好な納まりを確保しつつ枠本体部を共通化することができる。
【００１０】
また、本発明の建具では、前記屋外見付け部の見込み片部は、切断可能に構成されるか、または当該見込み片部の屋外側先端部に基端部よりも厚さ寸法が小さい薄肉部が形成されていることが好ましい。
このような構成によれば、屋外見付け部の見込み片部を切断可能に構成しておき、外装材の厚さ寸法に応じて見込み片部の長さを調節することで、外装材との良好な納まりを確保することができる。また、見込み片部の屋外側先端部に薄肉部を形成しておけば、見込み片部の先端をさらに目立たせないようにでき、外観意匠性をさらに向上させることができる。
【００１１】
さらに、本発明の建具では、前記上枠および左右の縦枠のうち少なくとも１つの枠材は、外壁躯体に固定される枠本体部と、この枠本体部の屋外側に設けられる屋外見付け部と、前記枠本体部の屋内側に設けられる屋内見付け部とを有して構成され、前記屋内見付け部には、前記枠本体部よりも見込み方向屋内側に延びるとともに、前記外壁躯体よりも屋内側に位置する内装材の見付け方向内側端縁を覆うカバー部が形成されていることが好ましい。
このような構成によれば、枠本体部の屋内側に設けた屋内見付け部にカバー部を形成し、このカバー部で内装材の見付け方向内側端縁を覆うことで、内装材と屋内見付け部とを良好な納まりで配置することができるとともに、建具の屋内側における意匠性も向上させることができる。また、枠本体部よりも屋内側に延びたカバー部を設けることで、建具を屋内側から見た場合に枠本体部を目立たせないようにでき、建具の意匠性をさらに向上させることができる。
【図面の簡単な説明】
【００１２】
【図１】本発明の第１実施形態に係る建具を示す正面図である。
【図２】前記建具を示す縦断面図である。
【図３】前記建具を示す横断面図である。
【図４】前記建具における枠材の変形例を示す横断面図である。
【図５】本発明の第２実施形態に係る建具を示す正面図である。
【図６】前記建具を示す縦断面図である。
【図７】前記建具を示す横断面図である。
【図８】本発明の第３実施形態に係る建具を示す縦断面図である。
【図９】前記建具を示す横断面図である。
【発明を実施するための形態】
【００１３】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。
【００１４】
〔第１実施形態〕
図１〜図３において、本実施形態の建具としての玄関ドア１は、建物の外壁開口部に設けられる枠体としてのドア枠２と、このドア枠２で囲まれた内部に開閉自在に支持される面材としての扉３とを備えて構成されている。ドア枠２は、上枠４、下枠５および左右の縦枠６，７を四周枠組みして構成され、外壁Ｗの躯体Ｗ１に固定されている。なお、外壁Ｗは、壁パネル等の躯体Ｗ１と、この躯体Ｗ１の屋外側に取り付けられるサイディング等の外装材Ｗ２と、躯体Ｗ１の屋内側に取り付けられる石膏ボード等の内装材Ｗ３とを備えて構成されている。扉３は、断熱材の屋内側面および屋外側面に金属板を接着したフラッシュ扉であって、図１中、右側の側端部上下のピボットヒンジ３Ａ，３Ｂを介して上枠４および下枠５に回動自在に支持されるとともに、図１中、左側の側端部の錠装置３Ｃが縦枠６に係合されることで閉鎖されるようになっている。このような玄関ドア１は、ドア枠２が外壁開口部の内部（外装材Ｗ２の屋外側面と内装材Ｗ３の屋内側面との間の見込み寸法内）に内蔵され、図１に示すように、ドア枠２が目立たない外観を備えた内付けタイプの建具である。
【００１５】
図２に示すように、上枠（枠材）４は、躯体Ｗ１に固定される上枠本体（枠本体部）４１と、この上枠本体４１の屋外側に設けられる屋外見付け部としてのアングル材４２とを有して構成されている。上枠本体４１は、それぞれアルミ形材製の屋内部材４１Ａおよび屋外部材４１Ｂと、これらを連結する樹脂製の断熱部材４１Ｃとを有して構成されている。屋内部材４１Ａは、断熱部材４１Ｃよりも見込み方向屋内側に延びる見込み面部４１１と、この見込み面部４１１から下方に延びて気密材４３を保持する気密材保持部４１２と、見込み面部４１１から上方に延びて内装材Ｗ３の屋外側面に当接する当接片部４１３と、見込み面部４１１に連続して屋内側に延びて内装材Ｗ３の下端縁を覆うカバー部４１４とを有して形成されている。屋外部材４１Ｂは、全体中空状に形成されるとともに、躯体Ｗ１の下方に対向する上面部４１５と、この上面部４１５の下方に対向して見込み方向に延びる見込み面部（本体見込み面部）４１６と、この見込み面部４１６よりも一段下がって見込み方向屋外側に延びる第２見込み面部４１７と、第２見込み面部４１７および上面部４１５の屋外端を連結して上下に延びる屋外面部４１８と、屋外面部４１８に連続して上方に延びて躯体Ｗ１に固定される固定片部４１９とを有して形成されている。
【００１６】
アングル材４２は、断面略Ｌ字形に形成され、第２見込み面部４１７に連続して見込み方向屋外側に延びる見込み片部４２１と、この見込み片部４２１の屋内側端部から上方（見付け方向外側）に延びる見付け片部４２２とを有して形成され、見付け片部４２２が上枠本体４１の屋外面部４１８に固着具であるビス４４で固定されている。見込み片部４２１は、外装材Ｗ２の下端縁（見付け方向内側端縁）に対向するとともに、見込み片部４２１の屋外側端縁が外装材Ｗ２の屋外側面と略同一見込み位置まで延び、具体的には外装材Ｗ２の屋外側面よりも１mm〜数ミリ程度だけ屋外側に突出して設けられている。この見込み片部４２１と外装材Ｗ２の下端縁との間には、バックアップ材Ｗ４およびシール材Ｗ５が介挿され、シール材Ｗ５によって、外壁Ｗと上枠４との間の止水性が確保されている。見付け片部４２２は、その少なくとも一部である上端側部分が外装材Ｗ２の屋内側面に所定の間隔を介して対向して設けられている。また、上枠本体４１の見込み面部４１６は、アングル材４２の見込み片部４２１よりも上方（見付け方向外側）に位置して設けられており、この見込み面部４１６と扉３の上端面とが所定の間隔を介して対向するとともに、見込み面部４１６には、ピボットヒンジ３Ａの回動軸を支持する軸受けが設けられている。
【００１７】
下枠５は、アルミ形材製の一体成形部材であって、床スラブ等の躯体に載置されるとともに、屋内外の床材Ｆ１，Ｆ２とシール材Ｗ５を介して接続されている。この下枠５の上面にピボットヒンジ３Ｂが固定されている。
【００１８】
図３に示すように、縦枠（枠材）６は、躯体Ｗ１に固定される縦枠本体（枠本体部）６１と、この縦枠本体６１の屋外側に設けられる屋外見付け部としてのアングル材６２と、縦枠本体６１の屋内側に設けられる屋内見付け部としての縦枠アタッチメント６３とを有して構成されている。縦枠本体６１は、第１縦枠本体６Ａおよび第２縦枠本体６Ｂで構成されるとともに、第１縦枠本体６Ａは、それぞれアルミ形材製の屋内部材６１Ａおよび屋外部材６１Ｂと、これらを連結する樹脂製の断熱部材６１Ｃとを有し、屋内部材６１Ａは、断熱部材６１Ｃよりも見込み方向屋内側に延びる見込み面部６１１を有して形成され、屋外部材６１Ｂは、断熱部材６１Ｃよりも見込み方向屋外側に延びる見込み面部（本体見込み面部）６１２と、この見込み面部６１２の屋外端から見付け方向外側に延びて躯体Ｗ１に固定される固定片部６１３とを有して形成されている。一方、第２縦枠本体６Ｂは、それぞれアルミ形材製の屋内部材６１Ｄおよび屋外部材６１Ｅと、これらを連結する樹脂製の断熱部材６１Ｆとを有し、屋内部材６１Ｄは、第１縦枠本体６Ａの見込み面部６１１に対向する見込み面部６１４と、この見込み面部６１４から見付け方向内側に延びて気密材６４を保持する気密材保持部６１５と、見込み面部６１４に連続して内装材Ｗ３の屋外側面に当接する当接片部６１６とを有して形成され、屋外部材６１Ｅは、全体中空状に形成されるとともに、第１縦枠本体６Ａの見込み面部６１２に当接する側面部６１７と、この側面部６１７の見付け方向内側に対向して見込み方向に延びる見込み面部（本体見込み面部）６１８と、側面部６１７および見込み面部６１８の屋外端を連結して見付け方向に延びる屋外面部６１９とを有して形成されている。
【００１９】
アングル材６２は、断面略Ｌ字形に形成され、見込み面部６１２に連続して見込み方向屋外側に延びる見込み片部６２１と、この見込み片部６２１の屋内側端部から見付け方向外側に延びる見付け片部６２２とを有して形成され、見付け片部６２２が第１縦枠本体６Ａの固定片部６１３に固着具であるビス６５で固定されている。見込み片部６２１は、外装材Ｗ２の側端縁（見付け方向内側端縁）に対向するとともに、見込み片部６２１の屋外側端縁が外装材Ｗ２の屋外側面と略同一見込み位置まで延び、具体的には外装材Ｗ２の屋外側面よりも１mm〜数ミリ程度だけ屋外側に突出して設けられている。この見込み片部６２１と外装材Ｗ２の側端縁との間には、バックアップ材Ｗ４およびシール材Ｗ５が介挿され、シール材Ｗ５によって、外壁Ｗと縦枠６との間の止水性が確保されている。見付け片部６２２は、その少なくとも一部である見付け方向外側部分が外装材Ｗ２の屋内側面に所定の間隔を介して対向して設けられている。また、アングル材６２の見込み片部６２１と第１縦枠本体６Ａの見込み面部６１２とは、互いに略フラット、つまり略同一見付け位置に設けられている。また、第２縦枠本体６Ｂには、錠装置３Ｃと係合して扉３を施錠する錠受けが設けられている。
【００２０】
縦枠アタッチメント６３は、第２縦枠本体６Ｂの気密材保持部６１５および当接片部６１６に係合する係合部６３１と、気密材保持部６１５の先端と略同一見付け位置から見込み方向に沿って当接片部６１６よりも屋内側に延びて内装材Ｗ３の見付け方向内側の側端縁を覆うカバー部６３２とを有して形成されている。
【００２１】
図３中、左側の縦枠（枠材）７は、躯体Ｗ１に固定される縦枠本体（枠本体部）７１と、この縦枠本体７１の屋外側に設けられる屋外見付け部としてのアングル材７２と、縦枠本体７１の屋内側に設けられる屋内見付け部としての縦枠アタッチメント７３とを有して構成されている。縦枠本体７１は、それぞれアルミ形材製の屋内部材７１Ａおよび屋外部材７１Ｂと、これらを連結する樹脂製の断熱部材７１Ｃとを有して構成されている。屋内部材７１Ａは、断熱部材７１Ｃよりも見込み方向屋内側に延びる固定面部７１１と、この固定面部７１１よりも見付け方向内側に延びて気密材７４を保持する気密材保持部７１２と、固定面部７１１に連続しかつ気密材保持部７１２に対向して内装材Ｗ３の屋外側面に当接する当接片部７１３とを有して形成されている。屋外部材７１Ｂは、全体中空状に形成され、断熱部材７１Ｃよりも見込み方向屋外側に延びる見込み面部（本体見込み面部）７１４と、この見込み面部７１４の見付け方向外側に対向する側面部７１５と、見込み面部７１４および側面部７１５の屋外端を連結して見付け方向に延びる屋外面部７１６と、屋外面部７１６に連続して見付け方向外側に延びて躯体Ｗ１に固定される固定片部７１７とを有して形成されている。
【００２２】
アングル材７２は、断面略Ｌ字形に形成され、見込み面部７１４に連続して見込み方向屋外側に延びる見込み片部７２１と、この見込み片部７２１の屋内側端部から見付け方向外側に延びる見付け片部７２２とを有して形成され、見付け片部７２２が縦枠本体７１の屋外面部７１６に固着具であるビス７５で固定されている。見込み片部７２１は、外装材Ｗ２の側端縁（見付け方向内側端縁）に対向するとともに、見込み片部７２１の屋外側端縁が外装材Ｗ２の屋外側面と略同一見込み位置まで延び、具体的には外装材Ｗ２の屋外側面よりも１mm〜数ミリ程度だけ屋外側に突出して設けられている。この見込み片部７２１と外装材Ｗ２の側端縁との間には、バックアップ材Ｗ４およびシール材Ｗ５が介挿され、シール材Ｗ５によって、外壁Ｗと縦枠７との間の止水性が確保されている。見付け片部７２２は、その少なくとも一部である見付け方向外側部分が外装材Ｗ２の屋内側面に所定の間隔を介して対向して設けられている。また、アングル材７２の見込み片部７２１と縦枠本体７１の見込み面部７１４とは、互いに略フラット、つまり略同一見付け位置に設けられている。
【００２３】
縦枠アタッチメント７３は、縦枠本体７１の気密材保持部７１２および当接片部７１３に係合する係合部７３１と、気密材保持部７１２の先端と略同一見付け位置から見込み方向に沿って当接片部７１３よりも屋内側に延びて内装材Ｗ３の見付け方向内側の側端縁を覆うカバー部７３２とを有して形成されている。
【００２４】
なお、本実施形態の枠材としては前述のものに限らず、図４に示すような各種形態を有していてもよく、縦枠６を例にして変形例を説明する。
図４(Ａ)に示す縦枠６では、前記縦枠本体（第１縦枠本体６Ａおよび第２縦枠本体６Ｂ）６１とアングル材（屋外見付け部）６２とが一体化され、固定片部６１３の一部によって見付け片部６２２が構成されている。また、図４(Ａ)の場合には、前記外装材Ｗ２よりも見込み方向厚さ寸法が大きな外装材Ｗ２が用いられ、見込み片部６２１の長さ寸法が長く形成されるとともに、見込み片部６２１の先端部を適宜な長さだけ切断することで、図３の外装材Ｗ２に対しても同一の縦枠６が利用できるようになっている。
図４(Ｂ)に示す縦枠６では、アングル材６２における見込み片部６２１の屋外側先端部に基端部（見付け片部６２２側の端部）よりも厚さ寸法が小さい薄肉部６２３が形成されている。
図４(Ｃ)に示す縦枠６では、アングル材６２の見付け片部６２２に代えて係合片部６２４，６２５が形成され、見込み面部６１２の屋外端および固定片部６１３に対して係合片部６２４，６２５を係合させることで、アングル材６２が取り付けられるようになっている。
【００２５】
以上のような本実施形態によれば、上枠４および縦枠６，７の屋外側において見込み片部４２１，６２１，７２１の先端を外装材Ｗ２の屋外側面と略同一見込み位置に設けることで、各枠材が外装材Ｗ２の屋外側面から大きく突出することがなく、枠材が目立たず意匠デザイン上の設計自由度の高い内付けタイプのドア枠２を構成することができる。そして、玄関ドア１の外観としては、外装材Ｗ２の開口内部側の三方に沿って見込み片部４２１，６２１，７２１の先端面が見えるだけなので、各枠材がさらに目立たず意匠性を向上させることができる。また、上枠４において、見込み片部４２１の屋内側に位置する第２見込み面部４１７を見込み片部４２１とフラットに設けるとともに、見込み面部４１６を見込み片部４２１よりも上方に設けたり、縦枠６，７において、見込み片部６２１，７２１の屋内側に位置する見込み面部６１２，７１４を見込み片部６２１，７２１とフラットに設けたりすることで、上枠本体４１や縦枠本体６１，７１が目立たないようにでき、玄関ドア１の外観意匠性をさらに向上させることができる。
【００２６】
〔第２実施形態〕
次に、本発明の第２実施形態に係る建具としての玄関ドア１Ａを図５〜図７に基づいて説明する。
本実施形態の玄関ドア１Ａは、袖窓部８を備えた片袖付きのドアである点と、袖窓部８側（図７の右側）の縦枠６の構成とが第１実施形態と相違し、その他の各部位は、第１実施形態の玄関ドア１と略同様に構成されている。以下、相違点を詳しく説明する。
袖窓部８は、上枠４と下枠５とに渡って架設される方立８１と、上枠４に固定される袖上枠８２と、下枠５に固定される袖下枠８３と、これらと縦枠６との内部に保持されるガラスパネル８４とを備えて構成されている。
【００２７】
方立８１は、方立本体８１１と、この方立本体８１１に係合される押縁８１２とを備え、方立本体８１１から見付け方向縦枠６側に延びる保持片８１３と押縁８１２との間に気密材８５を介してガラスパネル８４の側端縁を保持するように構成されている。また、方立本体８１１のガラスパネル８４と反対側には、扉３に当接可能な気密材８６を保持する気密材保持部８１４が形成されている。袖上枠８２は、上枠４の見込み面部４１１，４１６に固定される袖上枠本体８２１と、この袖上枠本体８２１に係合される押縁８２２とを備え、袖上枠本体８２１から下方に延びる保持片８２３と押縁８２２との間に気密材８５を介してガラスパネル８４の上端縁を保持するように構成されている。なお、上枠４において、袖窓部８の範囲では、第１実施形態の図２に示した気密材保持部４１２が切断除去されている。袖下枠８３は、下枠５の上面に固定されるとともに上方に開口した断面コ字形に形成され、コ字形開口部分に気密材８５を介してガラスパネル８４の下端縁を保持するように構成されている。
【００２８】
縦枠（枠材）６は、躯体Ｗ１に固定される縦枠本体（枠本体部）６６と、この縦枠本体６６の屋外側に設けられる第１実施形態と共通のアングル材６２と、縦枠本体６６の屋内側に設けられる第１実施形態と共通の縦枠アタッチメント６３とを有して構成されている。縦枠本体６６は、見付け方向内側（ガラスパネル８４側）に開口した開口部６６１を有して断面略コ字形に形成されるとともに、それぞれアルミ形材製の屋内部材６６Ａおよび屋外部材６６Ｂと、これらを連結する樹脂製の断熱部材６６Ｃとを有して構成されている。屋内部材６６Ａは、断熱部材６６Ｃよりも見込み方向屋内側に延びる側面部６６２と、この側面部６６２から見付け方向内側に延びる係合片部６６３と、側面部６６２に連続して内装材Ｗ３の屋外側面に当接する当接片部６６４とを有して形成されている。屋外部材６６Ｂは、断熱部材６６Ｃよりも見込み方向屋外側に延びる側面部６６５と、この側面部６６５に対向する見込み面部（本体見込み面部）６６６と、見込み面部６６６および側面部６６５の屋外端を連結する屋外面部６６７と、屋外面部６６７に連続して見付け方向外側に延びて躯体Ｗ１に固定される固定片部６６８とを有して形成されている。アングル材６２は、その見付け片部６２２が屋外面部６６７に固着具であるビス６５で固定され、縦枠アタッチメント６３は、係合片部６６３と当接片部６６４とに係合して取り付けられている。また、係合片部６６３と見込み面部６６６との間に気密材８５を介してガラスパネル８４の側端縁が保持されている。また、アングル材６２の見込み片部６２１と縦枠本体６６の見込み面部６６６とは、互いに略フラット、つまり略同一見付け位置に設けられている。
【００２９】
このような第２実施形態の玄関ドア１Ａにおいても第１実施形態と同様の効果を奏することができるとともに、片袖付きの玄関ドア１Ａを構成する部材の多くが第１実施形態の袖無しの玄関ドア１と共通化できることから、部材種類を少なくしつつ製品バリエーションを多様化することができる。すなわち、片袖付きの玄関ドア１Ａに限らず、袖窓部８が扉３の両側に設けられた両袖付きのドアや、扉３を２枚有した親子扉タイプのドアなど、多様な製品群において、部材の共通化を図って製造コストを抑制することができる。
【００３０】
〔第３実施形態〕
次に、本発明の第３実施形態に係る建具としての玄関ドア１Ｂを図８、図９に基づいて説明する。
本実施形態の玄関ドア１Ｂは、第２実施形態の玄関ドア１Ａと同様に袖窓部８を備えた片袖付きのドアであって、上枠４の構成と扉３側の縦枠７の構成とが第２実施形態と相違し、その他の各部位は、前記実施形態と略同様に構成されている。以下、相違点を詳しく説明する。
【００３１】
上枠（枠材）４は、前記第１、第２実施形態と略同様の上枠本体４１およびアングル材４２を有するとともに、上枠本体４１は、扉３の範囲に設けられる第２上枠本体４５と、袖窓部８の範囲に設けられる押縁４６とを有して構成されている。上枠本体４１は、前記実施形態よりも見込み面部４１６が上方に位置して設けられ、第２見込み面部４１７との段差が大きく形成されているとともに、前記気密材保持部４１２が有さずに形成されている。第２上枠本体４５は、上枠本体４１に係合して取り付けられ、見込み面部４１１の下方に位置する屋内部材４５Ａと、見込み面部４１６の下方に位置する屋外部材４５Ｂと、これらを連結する樹脂製の断熱部材４５Ｃとを有して構成されている。屋外部材４５Ｂは、その下端縁が第２見込み面部４１７とフラットか、または第２見込み面部４１７よりも上方に位置して設けられている。屋内部材４５Ａは、第２見込み面部４１７よりも下方まで延びて扉３の屋内側面に対向可能に設けられ、この屋内部材４５Ａの屋外側面に気密材４３が取り付けられている。一方、押縁４６は、上枠本体４１の屋内部材４１Ａに係合して取り付けられるとともに、その下端縁が、第２見込み面部４１７とフラットか、または第２見込み面部４１７よりも上方に位置して設けられ、これらの押縁４６と第２見込み面部４１７との間に気密材８５を介してガラスパネル８４の側端縁が保持されている。
【００３２】
縦枠（枠材）７は、躯体Ｗ１に固定される縦枠本体（枠本体部）７６と、この縦枠本体７６の屋外側に設けられる第１実施形態と共通のアングル材７２と、縦枠本体７６の屋内側に設けられる第１実施形態と共通の縦枠アタッチメント７３とを有して構成されている。縦枠本体７６は、それぞれアルミ形材製の屋内部材７６Ａおよび屋外部材７６Ｂと、これらを連結する樹脂製の断熱部材７６Ｃとを有して構成されている。屋内部材７６Ａは、断熱部材７６Ｃよりも見込み方向屋内側に延びる見込み面部７６１と、この見込み面部７６１よりも見付け方向内側に延びて気密材７４を保持する気密材保持部７６２と、見込み面部７６１に連続しかつ気密材保持部７６２に対向して内装材Ｗ３の屋外側面に当接する当接片部７６３とを有して形成されている。屋外部材７６Ｂは、断熱部材７６Ｃよりも見込み方向屋外側に延びる見込み面部（本体見込み面部）７６４と、この見込み面部７６４の屋外端から見付け方向外側に延びて躯体Ｗ１に固定される固定片部７６５とを有して形成されている。アングル材７２は、その見付け片部７２２が固定片部７６５に固着具であるビス７５で固定され、縦枠アタッチメント７３は、気密材保持部７６２と当接片部７６３とに係合して取り付けられている。また、アングル材７２の見込み片部７２１と縦枠本体７６の見込み面部７６４とは、互いに略フラット、つまり略同一見付け位置に設けられている。
【００３３】
このような第３実施形態の玄関ドア１Ｂにおいても第１および第２実施形態と同様の効果を奏することができるとともに、袖窓部８の範囲において、上枠４の第２見込み面部４１７よりも下方に第２実施形態の袖上枠８２のような部材が突出しないことから、玄関ドア１Ｂの外観意匠性をさらに向上させることができる。
【００３４】
なお、本発明は、前記実施形態に限定されるものではなく、本発明の目的が達成できる他の構成等を含み、以下に示すような変形等も本発明に含まれる。
例えば、前記実施形態においては、玄関ドア１，１Ａ，１Ｂを例示したが、本発明の建具としては、玄関ドアに限らず、勝手口等に利用されるドアであってもよいし、外開き形式の窓などであってもよい。また、面材の開閉形式は、特に限定されず、外開き形式以外の各種開閉形式が適用可能である。
また、本発明の建具は、前記第２実施形態で例示したように、片袖付きのドアであってもよいし、両袖付きのドアや、親子扉タイプのドアであってもよく、さらには、扉３の上方に無目等の横材で仕切られた上部窓が設けられたものであってもよい。
【００３５】
また、前記実施形態では、フラットな壁面の外壁Ｗに玄関ドア１，１Ａ，１Ｂが設けられる形態を例示したが、建具が設けられる外壁面としては、入り隅形状や出隅形状であってもよいし、建具の直上に庇等が設置されていてもよい。この際、例えば、縦枠が外壁面の入り隅近傍に位置する場合には、この縦枠における屋外見付け部（アングル材６２，７２）を省略してもよいし、上枠の直上に庇等が位置する場合には、この上枠における屋外見付け部（アングル材４２）を省略してもよい。
すなわち、本発明における屋外見付け部は、ドア枠２（枠体）を構成する上枠４、下枠５および左右の縦枠６，７のうち、少なくとも１つの枠材に設けられていればよく、このため、下枠５を含む四周全ての枠材に屋外見付け部が設けられていてもよい。
また、前記実施形態では、見込み片部６２１の長さ寸法が長く形成されるとともに、見込み片部６２１の先端部を適宜な長さだけ切断することで、見込み方向厚さ寸法が異なる複数種類の外装材（図３、図４の外装材Ｗ２）に対しても同一の縦枠６が利用できるようにしたが、これに限ることなく、見込み方向における見込み片部６２１の長さ寸法が異なるものを複数種類準備しておき、外装材の見込み方向厚さ寸法に合ったものを適宜使ってもよい。
この場合、見込み方向における見込み片部６２１の長さ寸法が異なるアングル材６２を複数種類準備しておくことで、縦枠本体６１は共通部材として利用できアングル材６２のみの交換だけで済ますことができる。
【００３６】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００３７】
１，１Ａ，１Ｂ…玄関ドア（建具）、２…ドア枠（枠体）、３…扉（面材）、４…上枠（枠材）、６，７…縦枠（枠材）、４１…上枠本体（枠本体部）、４２，６２，７２…アングル材（屋外見付け部）、４４，６５，７５…ビス（固着具）、６１，６６，７１，７６…縦枠本体（枠本体部）、６３，７３…縦枠アタッチメント（屋内見付け部）、４１６，６１２，６１８，６６６，７１４，７６４…見込み面部（本体見込み面部）、４２１，６２１，７２１…見込み片部、４２２，６２２，７２２…見付け片部、６２３…薄肉部、６３２，７３２…カバー部、Ｗ…外壁、Ｗ１…躯体、Ｗ２…外装材、Ｗ３…内装材。
【図１】
0005607578.tif 000002
【図２】
0005607578.tif 000003
【図３】
0005607578.tif 000004
【図４】
0005607578.tif 000005
【図５】
0005607578.tif 000006
【図６】
0005607578.tif 000007
【図７】
0005607578.tif 000008
【図８】
0005607578.tif 000009
【図９】
0005607578.tif 000010